(57)【特許請求の範囲】
【請求項１】
基材層と、該基材層の上に部分的に形成された隠し絵柄を表現する絵柄インキ層と、前記絵柄インキ層の上から該絵柄インキ層およびその周囲を被覆するよう形成された透明な離型インキ層と、前記離型インキ層の上に形成され該離型インキ層を被覆して前記絵柄インキ層を隠蔽する隠蔽インキ層とからなる蓋材であって、前記絵柄インキ層が隠し絵柄の部分とその絵柄周辺の部分とに同一のインキを使用して印刷版の網点濃度に差をつけることにより隠し絵柄を表現したものとされ、かつ、前記離型インキ層と前記隠蔽インキ層との密着性が前記基材層と前記離型インキ層との密着性よりも弱い設定とされていることを特徴とする蓋材。
【請求項２】
基材層は紙を最上面とするシート材からなり、離型インキはポリアミド系であり、隠蔽インキは塩酢ビ系またはアクリル系である請求項１記載の蓋材。
【発明の詳細な説明】
【０００１】
【発明の属する技術分野】
本発明は、カップ食品等の容器の蓋材、特に、くじの当たり外れ等の隠し絵柄を付した蓋材に関するものである。
【０００２】
【従来の技術】
実開昭５６−１３１３４９号公報には、食品容器の蓋材シートを、くじの当たり外れ等の表示を印刷した基材層の上に離型層を設け、その離型層の上に粘着層を介してシール層を形成した層構成として、そのシール層全部を剥がすことにより、くじの表示を露出せしめることができるようにし、あるいは、シール層にハーフカットの切れ目を設けて、その切れ目の内側を剥がすことにより、くじの表示を露出せしめることができるようにしたものが記載されている。
【０００３】
また、それとは別に、コインスクラッチによって隠蔽層を剥がし下層の印刷層を露出させるようにしたカード（スクラッチカード）が従来から知られている。
【０００４】
【発明が解決しようとする課題】
食品容器の蓋材にくじの当たり外れ等の隠し絵柄を付すことは上記公報に示されているように従来から知られているが、上記公報記載の技術は、蓋材の全面にシール層を設けて、そのシール層全部を剥がすようにするか、シール層にハーフカットの切れ目を設けて、その内側を剥がすようにするかのいずれかであり、いずれにしても、蓋材全体を複雑な層構成とする必要があって、コスト高であり、特に、ハーフカットを設ける場合は、工程が増え、一層コスト高である。
【０００５】
また、上記スクラッチカードの技術を転用することも考えられるが、スクラッチカードの場合は、隠蔽層をコインスクラッチによって簡単に剥がせるよう、ワックスを混入した厚塗りの粒子の大きい印刷層とするのであり、そのような印刷はグラビヤ印刷では難しいため、スピードの遅いスクリーン印刷で行うしかないのが普通で、生産効率が良くない。また、コインスクラッチは、スクラッチ屑がでるため、食品容器の蓋材に用いる場合には制約が大きい。
【０００６】
したがって、食品容器のくじ付き蓋材等に好適で、安価で、隠蔽機能に優れ、かつ、隠蔽層を剥がして隠し絵柄を露出させるのが容易な蓋材を得ることが課題である。
【０００７】
本発明は上記課題を解決することを目的とする。
【０００８】
【課題を解決するための手段】
上記課題を解決するためには、蓋材を、基材層と、基材層の上に部分的に形成された隠し絵柄を表現する絵柄インキ層と、絵柄インキ層の上から絵柄インキ層およびその周囲を被覆するよう形成された透明な離型インキ層と、離型インキ層の上に形成され離型インキ層を被覆して絵柄インキ層を隠蔽する隠蔽インキ層とからなるものとし、その絵柄インキ層は、隠し絵柄の部分とその絵柄周辺の部分とに同一のインキを使用して印刷版の網点濃度に差をつけることにより隠し絵柄を表現したものとし、離型インキ層と隠蔽インキ層との密着性が基材層と離型インキ層との密着性よりも弱い設定とすることが有効である。
【０００９】
このように構成した蓋材は、例えばカップ入り食品等に使用し、くじの当たり外れ等を絵柄インキ層の隠し絵柄によって表示するものとすることができる。その場合、消費者が購入する時には、絵柄インキ層は隠蔽インキ層によって隠蔽されているため、くじの当たり外れは不明であるが、購入後には、隠蔽インキ層の上に例えばセロテープ（登録商標）を貼り、そのセロテープ（登録商標）等を持ち上げることにより、絵柄インキ層の周囲で離型インキ層が基材層と密着して絵柄インキ層を保持したまま、隠蔽インキ層のみがセロテープ（登録商標）に付いて離型インキ層から剥がれ、その結果、透明な離型インキ層を通して絵柄インキ層が現れる。そして、その絵柄インキ層の隠し絵柄の部分とその絵柄周辺の部分との網点濃度に差があることによって、隠し絵柄が識別可能となり、くじの当たり外れの表示が明らかとなる。
【００１０】
この場合、蓋材は隠し絵柄を表現するための層構成を部分的に設けるだけでよく、ハーフカット等の面倒な工程は必要なく、隠し絵柄を露出させる時にスクラッチ屑がでることもない。また、隠し絵柄は周辺部分と同一のインキを使用して網点濃度の差で表現するものであるので、同一版で一度に印刷でき、見当合わせが不要で、また、隠し絵柄の部分に沿って離型インキ層および隠蔽インキ層に段差ができることはなく、隠蔽インキ層を剥がすまでは隠し絵柄が露出することがなくて、隠蔽効果が大きい。
【００１１】
上記蓋材の各層の組成は、具体的には、例えば、基材層を紙を最上面とするシート材からなるものとし、離型インキをポリアミド系とし、隠蔽インキを塩酢ビ系またはアクリル系とする。
【００１２】
【発明の実施の形態】
以下、発明の実施の形態を図面に基づいて説明する。
【００１３】
図１〜図４は本発明による蓋材の一例を示している。図１において、１は蓋材であり、２は通常の柄表示，内容物表示等の表面絵柄部、３は隠し絵柄を隠蔽インキで隠蔽してなる隠蔽絵柄部である。
【００１４】
蓋材１の基材層１０は、図２に示すように紙（片アート、片コート等）１１の裏面にポリエチレン１２，アルミニウム１３，接着層１４をこの順序で積層してなるもので、その基材層１０の紙１１の表面には、通常の絵柄インキ層２１とは別に、隠し絵柄の部分ａとその絵柄周辺の部分ｂとからなる隠し絵柄用の絵柄インキ層３１が設けられている。そして、その隠し絵柄用の絵柄インキ層３１の上に、絵柄インキ層３１およびその周囲を被覆するよう透明な離型インキ層３２が設けられ、さらに、離型インキ層３２の上に、離型インキ層３２を被覆して隠し絵柄用の絵柄インキ層３１を隠蔽するよう隠蔽インキ層３３が設けられている。隠蔽絵柄部３はこれら隠し絵柄用の絵柄インキ層３１，離型インキ層３２および隠蔽インキ層３３の積層構成からなるものである。
【００１５】
表面絵柄部２を構成する絵柄インキ層２１は、例えば硝化綿系，ウレタン系等のインキを用い、グラビア印刷等により形成したものである。
【００１６】
また、隠し絵柄用の絵柄インキ層３１は、上述のように隠し絵柄の部分ａとその絵柄周辺の部分ｂとからなり、隠し絵柄の部分ａとその絵柄周辺の部分ｂは、同一のインキを使用し、同一版で網点濃度に差をつけて、グラビア印刷等で一度に形成したものである。網点の濃度差は２０〜５０％がよく、その程度の差があれば隠し絵柄の識別が可能である。使用するインキは、例えば硝化綿系，ウレタン系あるいはポリアミド系のインキである。
【００１７】
また、離型インキ層３２および隠蔽インキ層３３もやはりグラビア印刷等で形成したもので、離型インキ層３２にはポリアミド系インキメジュームを用い、隠蔽インキ層３３には塩酢ビ系またはアクリル系で、墨，金，銀等の隠蔽性のあるインキを用いている。
【００１８】
離型インキ層３２を構成するポリアミド系インキメジュームと基材層１０の表面を構成する紙１１とは接着可能で、密着性が強い。また、隠蔽インキ層３３を構成する塩酢ビ系またはアクリル系のインキは、離型インキ層３２のポリアミド系インキメジュームとは接着不可若しくは弱接着である。
【００１９】
このように構成した蓋材１は、例えばカップ入り食品等の容器本体の開口周縁に接着層１４を対接させ、ヒートシールにより取り付けるものである。そして、隠蔽絵柄部３の絵柄インキ層３１は、隠し絵柄の部分ａがくじの当たり外れ等を表示するものとする。
【００２０】
上記隠蔽絵柄部３の絵柄インキ層３１が表現する隠し絵柄は、隠蔽インキ層３３によって隠蔽されているが、その隠蔽インキ層３３の上に例えばセロテープ（登録商標）５を貼って持ち上げると、図３に示すように隠蔽インキ層３３のみがセロテープ（登録商標）５に付いて離型インキ層３２から剥がれ、離型インキ層３２は絵柄インキ層３１の周囲で基材層１０と密着して絵柄インキ層３２を保持したまま残る。その結果、透明な離型インキ層３２を通して絵柄インキ層３１が見え、絵柄インキ層の隠し絵柄の部分ａとその絵柄周辺の部分ｂとの網点濃度に差があることによって、図４に示すように隠し絵柄（図４の例では”Ａ”という文字）が識別可能となる。
【００２１】
【発明の効果】
本発明によれば、隠し絵柄のための層構成を蓋材上に部分的に形成するだけであって、ハーフカット等の面倒な工程は必要なく、また、隠し絵柄を露出させる時にスクラッチ屑がでることもなく、効率の良いグラビア印刷も利用できる。また、隠し絵柄は周辺部分と同一のインキを使用して網点濃度の差で表現するので、隠し絵柄の部分に沿って離型インキ層および隠蔽インキ層に段差ができることがなくて隠蔽効果が高く、また、隠し絵柄の部分とその絵柄周辺の部分を同一版で一度に印刷でき、工程数が少なくて済む。したがって、食品容器のくじ付き蓋材等に好適で、安価で、隠蔽機能に優れ、かつ、隠蔽層を剥がして隠し絵柄を露出させるのが容易な蓋材を得ることができる。
【図面の簡単な説明】
【図１】本発明による蓋材の平面図である。
【図２】本発明による蓋材の模式断面図である。
【図３】本発明による蓋材の隠し絵柄を露出させた状態の模式断面図である。
【図４】本発明による蓋材の隠し絵柄の露出前後の状態を示す平面図である。
【符号の説明】
１  蓋材
２  表面絵柄部
３  絵柄隠蔽部
１０  基材層
１１  紙
３１  絵柄インキ層（隠し絵柄用）
ａ  隠し絵柄の部分
ｂ  絵柄周辺の部分
３２  離型インキ層
３３  隠蔽インキ層
【図１】
0003666699.tif 000002
【図２】
0003666699.tif 000003
【図３】
0003666699.tif 000004
【図４】
0003666699.tif 000005